(57)【要約】      （修正有）【課題】使用者に誤解を与えないよう除塵モードが設定されることを使用者に事前に報知する電気掃除機を提供する。【解決手段】電動送風機２４によって吸い込まれた塵埃と空気を分離する第１塵埃分離手段５５と、第１塵埃分離手段５５を通過した塵埃と空気を分離するプリーツフィルタ体１００と、このプリーツフィルタ体１００に付着した塵埃を落とす除塵手段と、この除塵手段によって落とされた塵埃を第１塵埃分離手段５５の上流側へ戻すための戻り風路２５１０とを備え、除塵モードのとき、前記除塵手段によって落とされた塵埃は電動送風機２４の吸込力により戻し風路２５１０を介して第１塵埃分離手段５５の上流側へ戻される電気掃除機であって、電動送風機２４の切スイッチが操作されたとき、除塵モードになることを報知する報知手段と、この報知手段が除塵モードになることを報知した後、除塵モードになって電動送風機２４が所定のパワーで駆動される。【選択図】図２２
2008036254.tif 000002
【特許請求の範囲】
【請求項１】
掃除機本体に設けられている電動送風機と、この電動送風機によって吸い込まれた塵埃と空気を分離する第１塵埃分離手段と、この第１塵埃分離手段で分離された塵埃を溜める集塵容器と、前記第１塵埃分離手段を通過した塵埃と空気を分離する第２塵埃分離手段と、除塵モードのときこの第２塵埃分離手段に付着した塵埃を除塵する除塵手段と、この除塵手段によって除塵された塵埃を前記第１塵埃分離手段の上流側へ戻すための戻し風路とを備え、除塵モードのとき、前記除塵手段によって落とされた塵埃は前記電動送風機の吸込力により前記戻り風路を介して前記第１塵埃分離手段の上流側へ戻されるようになっている電気掃除機であって、
前記電動送風機の駆動を停止させる切スイッチが操作されたとき、除塵モードになることを報知する報知手段と、
この報知手段が除塵モードになることを報知したときまたはその報知後、除塵モードになって前記電動送風機が所定のパワーで駆動されることを特徴とする電気掃除機。
【請求項２】
前記報知手段が除塵モードを報知している期間に、前記電動送風機のパワーを設定する設定スイッチが操作されたとき、除塵モードになることを解除することを特徴とする請求項１に記載の電気掃除機。
【請求項３】
前記報知手段は、音声で行うことを特徴とする請求項１または請求項２に記載の電気掃除機。
【発明の詳細な説明】
【技術分野】
【０００１】
この発明は、塵埃と空気を分離する第１塵埃分離手段と、前記第１塵埃分離手段を通過した塵埃と空気を分離する第２塵埃分離手段と、第２塵埃分離手段に付着した塵埃を落とす除塵手段とを備えた電気掃除機に関する。
【背景技術】
【０００２】
従来から、集塵容器を掃除機本体に着脱自在に設けた電気掃除機が知られている（特許文献１参照）。
【０００３】
かかる電気掃除機は、集塵容器室を内部に形成した掃除機本体と、集塵容器室に着脱自在に装着される集塵容器と、前記集塵容器室の下流側に設けられた電動送風機と、集塵容器の後部開口に着脱自在に装着された二次フィルタと、この二次フィルタに付着した塵埃を落とす除塵手段等とを備えている。
【０００４】
除塵手段は、外気を導入する複数のノズルと、吸込口に設けた絞り弁とを有している。そして、絞り弁を絞って電動送風機を駆動して複数のノズルから外気を導入し、この外気と絞り弁を介して導入される空気とで二次フィルタに付着した塵埃を落とすものである。
【特許文献１】特開２００６−６４５３号公報
【発明の開示】
【発明が解決しようとする課題】
【０００５】
ところで、このような電気掃除機では、切スイッチを操作したとき、除塵モードが自動的に設定されるように構成した場合、切スイッチの操作により電動送風機を停止させるとともに絞り弁を絞り、この後電動送風機を所定のパワーで駆動させることになる。このため、切スイッチを操作したにも拘わらず、停止した電動送風機が駆動されることになり、使用者は不用意に強弱スイッチを操作してしまったのか、故障してしまったのか誤解してしまう場合がある。
【０００６】
この発明の目的は、使用者に除塵モードが設定されることを事前に報知して使用者に誤解を与えてしまうことのない電気掃除機を提供することにある。
【課題を解決するための手段】
【０００７】
この発明は、掃除機本体に設けられている電動送風機と、この電動送風機によって吸い込まれた塵埃と空気を分離する第１塵埃分離手段と、この第１塵埃分離手段で分離された塵埃を溜める集塵容器と、前記第１塵埃分離手段を通過した塵埃と空気を分離する第２塵埃分離手段と、除塵モードのときこの第２塵埃分離手段に付着した塵埃を除塵する除塵手段と、この除塵手段によって除塵された塵埃を前記第１塵埃分離手段の上流側へ戻すための戻し風路とを備え、除塵モードのとき、前記除塵手段によって落とされた塵埃は前記電動送風機の吸込力により前記戻り風路を介して前記第１塵埃分離手段の上流側へ戻されるようになっている電気掃除機であって、
前記電動送風機の駆動を停止させる切スイッチが操作されたとき、除塵モードになることを報知する報知手段と、
この報知手段が除塵モードになることを報知したときまたはその報知後、除塵モードになって前記電動送風機が所定のパワーで駆動されることを特徴とする。
【発明の効果】
【０００８】
この発明によれば、切スイッチが操作されると報知手段が除塵モードになることを報知するので、切スイッチが操作された後に電動送風機が所定のパワーで駆動されても、使用者は故障等と誤解をしてしまうことがない。
【発明を実施するための最良の形態】
【０００９】
以下、この発明に係る電気掃除機の実施の形態である実施例を図面に基づいて説明する。
【実施例】
【００１０】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには電動送風機２４の駆動を停止する切スイッチ１３ａや電動送風機２４のパワーを設定する強弱スイッチ１３ｂなどが設けられている。
【００１１】
吸込口体１５には、その底面に塵埃を吸引する図示しない吸込開口（塵埃吸込口）を形成した吸込室（図示せず）が形成されており、この吸込室は延長管１４と集塵ホース１２と接続口１１Ａを介して掃除機本体１１内に設けた集塵ユニット５０（図１０参照）の吸込接続口５７ａに連通している。
【００１２】
掃除機本体１１は、本体ケース２０と、本体ケース２０内に装着された集塵ユニット５０（図２参照）と、電動送風機２４とを備えている。
【００１３】
本体ケース２０の前側には、図２ないし図４に示すように、上部開口２２Ａを有する集塵ユニット室２２が形成され、本体ケース２０の上部に蓋ケース５００（図１参照）が開閉自在に取り付けられている。この蓋ケース５００により集塵ユニット室（収納室）２２とともに本体ケース２０の上部全体が覆われている。本体ケース２０は蓋ケース５００により密閉されないようになっている。
【００１４】
また、集塵ユニット室２２内には、後述する集塵容器４１０（図１１）をポップアップするポップアップ機構１０００（図７参照）が設けられている。
【００１５】
また、図１に示すように蓋ケース５００の両側部の下部には斜め下方に延びた一対の脚部５０１が形成され、この脚部５０１の下部５０１Ａが本体ケース２０に設けた円筒車軸１７（図５参照）に回動可能に装着されるとともに、円筒車軸１７に取り付けられた後輪１６を覆っている。そして、図５に示すように円筒車軸１７内には捩りコイルバネ１８が装着され、捩りコイルバネ１８の一端は円筒車軸１７に固定され、捩りコイルバネ１８の他端１８Ａは脚部５０１（図１参照）に固定されており、この捩りコイルバネ１８は蓋ケース５００を円筒車軸１７を中心にして図１において時計回りに付勢している。
【００１６】
実際には、円筒車軸１７に回転体９００（図２参照）を回転自在に装着させ、この回転体９００のアーム部９０１の突起９０２（図１４参照）に捩りコイルバネ１８の他端１８Ａを係止させ、アーム部９０１を蓋ケース５００の脚部５０１内に係止させて、蓋ケース５００を時計回りに付勢するものである。
【００１７】
そして、蓋ケース５００は円筒車軸１７を中心にして時計回りに回動することにより蓋ケース５００が図１６の鎖線で示すように開成するようになっている。
【００１８】
蓋ケース５００の前側には、図６および図７に示すようにほぼ逆Ｌ字形の係合部材５１０が設けられている。
【００１９】
また、本体ケース２０の電動送風機２４の前側（図１において左側）に前面開口２５Ｂ（図１４参照）を有する円筒状の接続風路部（接続風路）２５（図２７参照）が形成され、この接続風路部２５は電動送風機２４の吸込開口２４Ａに連通している。
【００２０】
接続風路部２５の前面開口２５Ｂには図１４に示すように回転自在な格子部材６００が設けられており、この格子部材６００はモータＭ１（図３７参照）により回転するようになっている。
【００２１】
接続風路部２５内には、図２７に示すように、電動送風機２４の吸込開口２４Ａに連通した吸込管２７が設けられており、この吸込管２７の先端部には開口２７Ａを開閉する第４開閉弁２８が設けられている。この第４開閉弁２８の開閉動作はモータＭ２（図３７参照）によって行われる。
【００２２】
格子部材６００には図１４に示すように複数の突起６０１が設けられており、この突起６０１は後述するプリーツフィルタ（第２塵埃分離手段）１０４（図１３参照）の谷部に係合して、後述するプリーツフィルタ体１００を回転させていくようになっている。このプリーツフィルタ体１００を回転させることにより、後述する除塵機構２０００（図３１参照）の除塵手段２１００がプリーツフィルタ１０４に付着した細塵を落としていく。
【００２３】
本体ケース２０の接続口１１Ａの上には、閉成された蓋ケース５００をロックするクランプ７００が設けられている。
【００２４】
このクランプ７００は、図７および図８に示すように、上面が曲面に形成された操作部７０１を有しており、この操作部７０１の後面７０１Ａの両側には後方（図６,７において右側）へ突出した支持板部７０２,７０２が形成され、この支持板部の外側面に軸部７０３,７０３が形成されている。
【００２５】
この軸部７０３,７０３は、図３に示すように本体ケース２０に設けた軸受部２７,２７に回動自在に保持されている。そして、クランプ７００は図示しないスプリングにより図７において軸部７０３を中心にして時計回りに付勢されている。クランプ７００は図示しない規制部材より図７に示す位置より時計回りに回動しないようになっている。
【００２６】
そして、クランプ７００は、操作部７０１が上から下方に押されると、図示しないスプリングの付勢力に抗して図７に示す位置から軸部７０３,７０３を中心にして反時計回りに回動するようになっている。
【００２７】
操作部７０１の前端には下方に延びた前壁部７０４が形成され、この前壁部７０４の下部には後方へ延びた押圧部７０５が形成されている。この押圧部７０５の後部には上方へ延びた支持部７０６が形成され、この支持部７０６の上部には係止爪７０７が形成されている。
【００２８】
この係止爪７０７は、図６および図７に示すように蓋ケース５００の係合部材５１０の先端部５１１に係合して、蓋ケース５００を本体ケース２０にロックするようになっている。
【００２９】
クランプ７００が時計回りに回動されると、図９に示すように、クランプ７００の係止爪７０７は蓋ケース５００の係合部材５１０の先端部５１１から外れ、蓋ケース５００のロックが解除される。
【００３０】
集塵ユニット５０は、図１０に示すように、塵埃分離ユニット４００と、この塵埃分離ユニット４００に着脱自在に装着される集塵容器４１０とを備えている。
【００３１】
塵埃分離ユニット４００は、塵埃分離部（第１塵埃分離手段）５２と、塵埃分離部５２と一体となっているフィルタ部８０とを備えている。
【００３２】
塵埃分離部５２は、図１０および図１２に示すように外周壁５３によって円筒状に形成された分離室部（上流風路）５４と、この分離室部５４内に分離室部５４の軸線に沿って設けられたほぼ円錐形状の塵埃分離手段５５と、分離室部５４の右側壁５４Ａの外側に設けた吸引風路部（案内風路）５６と、吸込接続口（塵埃吸込口）５７ａから分離室部５４へ空気を案内する案内風路体５７とを有している。吸込接続口５７ａは、塵埃分離ユニット４００が掃除機本体１１の集塵ユニット室２２に装着されると、掃除機本体１１の接続口１１Ａに連通されるようになっている。なお、吸引風路部５６は案内風路体５７の下に設けられている。
【００３３】
分離室部５４の外周壁５３の上部には、図１２に示すように、空気から分離された塵埃を集塵容器４１０へ導入する導入開口５３Ａが形成されている。また、図２３に示すように円弧面を形成している外周壁５３の下部側には戻し開口５３Ｄが形成されている。この戻し開口５３Ｄには第２開閉弁Ｋ２が開閉可能に設けられている。戻し開口５３Ｄには図２４および図２５に示すように戻り風路管２５１０の一端が接続されている。戻り風路管２５１０は戻り風路２５１１を形成している（図２１および図２２参照）。
【００３４】
第２開閉弁Ｋ２の一端に軸部ＫＪ１が形成され、図２４に示すように軸部ＫＪ１が分離室部５４の上流側に回動自在に軸支され、第２開閉弁Ｋ２の他端が分離室部５４の下流側に位置されている。そして、第２開閉弁Ｋ２は図２５に示すように軸部ＫＪ１を中心にして反時計回りに回動することにより開成する。
【００３５】
この第２開閉弁Ｋ２は、後述する接続開口５４Ａａから分離室部５４内へ導入される空気によって閉成され、戻り風路管２５１０から分離室部５４内へ戻される空気によって開成するようになっている。
【００３６】
また、第２開閉弁Ｋ２は、図２４に示すように分離室部５４の内周壁面と同一曲率に形成され、その内周壁面と同一面上となるように設けられている。
【００３７】
案内風路体５７には、図２３に示すように分離室部５４に連通する接続開口５４Ａａが形成され、この接続開口５４Ａａには第１開閉弁Ｋ１が開閉可能に設けられている。そして、この第１開閉弁Ｋ１が実線位置に切り換えられると接続開口５４Ａａは閉成され、鎖線位置へ切り換えられると接続開口５４Ａａは開成されることになる。案内風路体５７から接続開口５４Ａａを介して分離室部５４内へ導入される空気は図１０において反時計回りに回転させるようになっている。
【００３８】
また、分離室部５４の右側壁５４Ａには、円形の開口１５４Ａ（図１０参照）と扇状の開口１５４Ｂ（図１２および図２４参照）とが形成され、開口１５４Ａには塵埃分離手段５５が取り付けられており、開口１５４ＢにはネットフィルタＮＦ２（図２４参照）が取り付けられている。
【００３９】
塵埃分離手段５５は、複数の枠５５ａと、この枠５５ａの周囲に貼り付けたネットフィルタＮＦ１とから構成されている。そして、吸引風路部５６は、右側壁５４Ａの開口１５４Ａ（図１０参照）およびネットフィルタＮＦ１（図１２参照）を介して分離室部５４内に連通し、また右側壁５４Ａの開口１５４ＢのネットフィルタＮＦ２（図示せず）を介して分離室部５４内に連通している。
【００４０】
吸引風路部５６の底部には、図１２に示すように開口５６Ｄが形成され、この開口５６Ｄにはフィルタ（プリーツフィルタ）ＰＦが取り付けられている。また、開口５６Ｄにはバイパス風路２５００（図２１参照）を形成するバイパス風路管２５０１の一端が図２６に示すように接続されている。
【００４１】
バイパス風路管２５０１の他端は図２７に示すように吸込管２７に接続されており、このバイパス風路管２５０１を介して吸引風路部５６と吸込管２７とが連通している。そして、バイパス風路管２５０１には第５開閉弁（電磁弁）２５０２が設けられている。
【００４２】
吸引風路部５６は、後述するフィルタ部８０の収納ケース（第２塵埃分離ケース）８１内に連通しているとともに、その右側壁部１５６（図１２参照）に形成した接続開口５６Ａを介して後述する集塵ケース部７４の集塵室７３に連通している。
【００４３】
集塵容器４１０は、図１１および図１２に示すように、上部に左右方向に延びた連通路７１を形成した連通ケース部７２と、この連通ケース部７２の右端部（図１２において）から下方に延びるとともに塵埃を集塵する集塵室部７３を形成した集塵ケース部７４とを有している。
【００４４】
連通ケース部７２の下面には、図１１に示すように連通路７１（図１２参照）に連通する開口７２Ａと、フック７２Ｆと、凹部７３とが形成されている。凹部７３内には上下方向に延びたリブ７２Ｒが形成されている。開口７２Ａは図１２に示すように塵埃分離部５２の導入開口５３Ａに接続されている。
【００４５】
また、集塵ケース部７４の左側壁部７４Ａには接続開口７５が形成されており、この接続開口７５にはネットフィルタＮＦ３が取り付けられている。
【００４６】
また、集塵ケース部７４は開閉可能な蓋部７４Ａを有しており、図１１に示すように蓋部７４Ａの下部には下方に延びたリブ７４Ｒが形成されている。蓋部７４Ａは、軸線７４Ｊ回りに回動可能になっており、この回動によって開閉するものである。
【００４７】
そして、集塵容器４１０を塵埃分離ユニット４００に装着すると、図１２に示すように、集塵容器４１０の開口７２Ａに塵埃分離部５２の導入開口５３Ａが接続され、集塵容器４１０の接続開口７５が塵埃分離ユニット４００の吸込風路部５６の接続開口５６Ａに接続されるようになっている。
【００４８】
フィルタ部８０は、図１３に示すように後面が開口されるとともに円筒状の収納ケース８１と、この収納ケース８１内に回転自在に取り付けられたプリーツフィルタ体（二次フィルタ）１００とを有している。収納ケース８１の前壁部８４の前面には塵埃分離部５２（図１０参照）が一体に形成されている。
【００４９】
収納ケース８１の前壁部８４には、図１２および図１３に示すように接続開口８４Ａが形成され、この接続開口８４Ａが吸引風路部５６に接続されている。そして、その接続開口８４Ａを介して収納ケース８１内と吸引風路部５６とが連通している。
【００５０】
前壁部８４の上部には、図２９に示すように収納ケース８１内に外気を導入させる外気導入口８４Ｆが形成され、前壁部８４の前面には図３０に示すように外気導入口８４Ｆを開閉する第６開閉弁Ｋ６が設けられている。この第６開閉弁Ｋ６は弾性部材８６により外気導入口８４Ｆを閉成する方向に付勢されている。
【００５１】
第６開閉弁Ｋ６には図２９に示す当接片８７が設けられており、この当接片８７が外気導入口８４Ｆから収納ケース８１内へ突出している。当接片８７には、右にいくにしたがって（図２９において）収納ケース８１内への突出量が大きくなる傾斜面８７ａが形成されている。そして、当接片８７を弾性部材８６の付勢力に抗して押圧すると、第６開閉弁Ｋ６は開成して外気導入口８４Ｆから収納ケース８１内に外気が導入されるようになっている。
【００５２】
また、図２８に示すように収納ケース８１の周壁部８２の底部に底部開口８２Ａが形成され、この底部開口８２Ａには戻り風路管２５１０の他端部が接続されている。この戻り風路管２５１０によって後述するプリーツフィルタ体１００の上流側の収納ケース８１内と塵埃分離部５２の分離室部５４内とが連通されている（図２１参照）。
【００５３】
プリーツフィルタ体１００は、図１３に示すように、収納ケース８１の中心位置に設けた軸部１０１Ａから放射状にプリーツを形成したプリーツフィルタ１０４を有している。この軸部１０１Ａは後述する軸２００１（図３１参照）に回転自在に装着されている。
【００５４】
そして、本体ケース２０の集塵ユニット室２２に集塵ユニット５０を装着すると、収納ケース８１の後面開口８１Ｂが本体ケース２０の接続風路部２５の前面開口２５Ｂ（図１４参照）に接合される。
【００５５】
ポップアップ機構１０００は、図７に示すように、集塵容器４１０をポップアップ（集塵容器４１０をスプリングにより上に持ち上げること）させる一対のポップアップ手段１１００,１１１０（図３参照）と、集塵容器４１０を塵埃分離ユニット４００の装着位置に固定するロック手段１２００と、このロック手段１２００のロックを解除させる解除手段１３００とを備えている。
【００５６】
ポップアップ手段１１００は、塵埃分離ユニット４００の塵埃分離部５２の外周壁５３の上面に設けられ且つ上方に延びるとともに断面が方形の筒状のガイドケース１１０１と、このガイドケース１１０１内に配置されたスプリング１１０２（図３において省略）とを有している。ガイドケース１１０１には上下方向に延びる一対のスリット１１０３（図３参照）が形成されている。
【００５７】
ポップアップ手段１１１０は、同様にして集塵ユニット室２２に設けられた筒状のガイドケース１１１１（図３参照）と、このガイドケース１１１１内に配置されたスプリング１１１２とを有している。ガイドケース１１１１には上下方向に延びる一対のスリット１１１３（図３参照）が形成されている。
【００５８】
そして、集塵容器４１０を塵埃分離ユニット４００に装着すると、集塵容器４１０のリブ７２Ｒ,７４Ｒ（図１１参照）がガイドケース１１０１,１１１１のスリット１１０３,１１１３に入り込んでスプリング１１０２,１１１２（図７参照）を付勢力に抗して圧縮させる。このスプリング１１０２,１１１２の付勢力によって集塵容器４１０を上方に付勢するものである。
【００５９】
ロック手段１２００は、案内風路体５７の上部に前後方向（図７において左右方向）に移動可能に設けられるとともに前後方向に延びたスライド部材１２０１と、このスライド部材１２０１を前後方向へガイドするとともに覆ったガイドカバー１２０２（図４参照）と、スライド部材１２０１を左方向（図７において）へ付勢するスプリング（図示せず）とを備えている。
【００６０】
スライド部材１２０１の後部側には、上方に突出した断面が矩形の筒部１２０３が形成され、この筒部１２０３がガイドカバー１２０２の開口１２０２Ａ（図３参照）から突出している。筒部１２０３の前後方向の長さはその開口１２０２Ａの前後方向の幅より短く設定され、スライド部材１２０１の前後方向の移動に支障を来さないようになっている。
【００６１】
そして、筒部１２０３の上面には開口１２０４が形成され、集塵容器４１０を塵埃分離ユニット４００に装着すると、集塵容器４１０のフック７２Ｆがその開口１２０４に入り込んでその縁部（固定手段）１２０４ａに係合され、この係合により集塵容器４１０が図７に示す位置（装着位置）にロックされるようになっている。
【００６２】
解除手段１３００は、スライド部材１２０１と、このスライド部材１２０１を右方（図７において）へ移動させるクランプ７００の押圧部７０５等とから構成される。そして、クランプ７００は操作部７０１が上から押されて図９に示すように回動すると、クランプ７００の押圧部７０５が図示しないスプリングの付勢力に抗してスライド部材１２０１の先端部１２０１ａに当接してスライド部材１２０１を右方へ移動させる。この移動により、集塵容器４１０のフック７２Ｆがスライド部材１２０１の筒部１２０３の開口１２０４の縁部１２０４ａから外れ、集塵容器４１０のロックが解除される。
【００６３】
除塵機構２０００は、図３１および図３２に示すように、収納ケース８１の中央部に回動自在に設けた軸２００１と、この軸２００１に装着されるとともに上方に延びたアーム２００２と、このアーム２００２の上部（先端部）に設けられた除塵手段２１００とを備えている。アーム２００２の下部には第３開閉弁Ｋ３が一体に設けられており、この第３開閉弁Ｋ３はアーム２００２および軸２００１とともに一体に回動していき、図３１に示す位置に回動されると収納ケース８１の接続開口８４Ａを閉成する。
【００６４】
また、アーム２００２および第３開閉弁Ｋ３が鎖線位置まで反時計回りに回動すると収納ケース８１の接続開口８４Ａは開成される。
【００６５】
アーム２００２が図３１に示す位置に位置しているとき、アーム２００２の先端部の軸部２０１１が図３４に示すように第６開閉弁Ｋ６の当接片８７の傾斜面８７ａに当接して第６開閉弁Ｋ６を弾性部材８６の付勢力に抗して押圧し、第６開閉弁Ｋ６が図３３に示すように開成する。
【００６６】
除塵手段２１００は、図３２,図３５および図３６に示すように、アーム２００２の先端の軸心部２００２Ａに回動可能に設けた軸部２１０１と、この軸部２１０１から外方へ突出した一対の支持部２１０２と、この支持部２１０２の先端部に回動自在に設けたローラ２１０３と、軸部２１０１から外方へ突出した突起２１０４とを有している。一対の支持部２１０２は互いに所定角度をなして配置され、突起２１０４は所定角度を２等分する線上であって支持部２１０２と反対側に配置されている。
【００６７】
ローラ２１０３は図１８に示すように収納ケース８１の前壁部８４の溝８４Ｍの底面８４Ｍａに当接し、突起２１０４はプリーツフィルタ１０４の山部に当接するようになっている。溝８４Ｍは図２９および図３１に示すように円弧状に形成され、この溝８４Ｍの両端部でアーム２００２の回動を規制し、アーム２００２は溝８４Ｍの範囲内、すなわち図３１に示す実線位置と鎖線位置との範囲内で回動可能となっている。
【００６８】
そして、突起２１０４は軸部２１０１とともに軸心２００２Ａを中心にして左右方向（図３５において）に回動可能となっており、スプリングＢＮ（図１８参照）の付勢力により突起２１０４は図３２および図３５に示す元の位置に戻るようになっている。
【００６９】
そして、プリーツフィルタ１０４が回転していくと、プリーツフィルタ１０４の山部に当接した突起２１０４は軸部２１０１とともに軸心２００２Ａを中心にして回動していく。プリーツフィルタ１０４が所定角度回転されると、突起２１０４はプリーツフィルタ１０４の山部を乗り越えてスプリングの付勢力により元の位置に戻る。このとき、突起２１０４が次のプリーツフィルタ１０４の山部を叩き、これによりプリーツフィルタ１０４に振動を与えてプリーツフィルタ１０４に付着している細塵を落とす。
【００７０】
収納ケース８１に設けた軸２００１は、図１８に示すように前壁部８４を貫通して前方に突出しており、この軸２００１の先端部には、第１開閉弁Ｋ１を開閉する開閉機構２２００のギア２２０１が設けられている。
【００７１】
開閉機構２２００は、図１９および図２０に示すように、ギア２２０１に噛合したラック２２０２と、このラック２２０２を有するとともに左右方向に移動可能なスライド板２２０３と、このスライド板２２０３の一端（図１９において左端）から前方へ延びるとともに先端にピン２２０５を設けた支持部２２０４と、そのピン２２０５が係合した長孔２２０６を有し且つ第１開閉弁Ｋ１の軸２２０７から延びたアーム２２０８とを有している。
【００７２】
スライド板２２０３には長孔２２０３Ａが形成され、この長孔２２０３Ａ内に軸２００１が挿入されており、この長孔２２０３に沿って軸２００１が相対移動することによりスライド板２２０３の左右方向の移動に支障を来さないようになっている。
【００７３】
また、アーム２２０８の長孔２２０６に係合したピン２２０５はその長孔２２０６に沿って相対的に移動可能となっている。このため、スライド板２２０３が左右方向に移動することによってアーム２２０８が軸２２０７とともに回動し、この軸２２０７の回動により第１開閉弁Ｋ１が開成する。
【００７４】
例えば、スライド板２２０３が図１９および図２０に示す位置に位置しているとき、第１開閉弁Ｋ１は図２３に示すように案内風路体５７の接続開口５４Ａａを閉成する。このとき、第６開閉弁Ｋ６は図３３に示すように開成され、第３開閉弁Ｋ３は図３１に示すように収納ケース８１の接続開口８４Ａを閉成する。
【００７５】
また、スライド板２２０３が図１９および図２０に示す位置から右方向へ移動すると、第１開閉弁Ｋ１は図２３に示す鎖線位置へ移動し、接続開口５４Ａａは開成され、第６開閉弁Ｋ６は図１９および図２０に示すように閉成し、第３開閉弁Ｋ３は図３１の鎖線で示す位置に移動して収納ケース８１の接続開口８４Ａを開成する。
【００７６】
図３７は電気掃除機の制御系の構成を示したブロック図である。図３７において、２００は操作部１３Ａの操作に基づいてモータＭ１,Ｍ２や電磁弁２５０２を制御する制御装置、２０１は除塵モードが設定されることを音声や合成音で報知するスピーカである。このスピーカ２０１は掃除機本体１１内に設けられている。
【００７７】
制御装置２００は、スピーカ２０１で除塵モードが設定されることを報知している期間に、強弱スイッチ１３ｂが操作されると除塵モードが設定されることを解除して、その強弱スイッチ１３ｂの操作に基づいて電動送風機２４を駆動させる。
［動  作］
次に、上記のように構成される電気掃除機の動作について説明する。
【００７８】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００７９】
このとき、図２１に示すように、第１開閉弁Ｋ１と第３開閉弁Ｋ３と第４開閉弁２８とが開成しており、第２開閉弁Ｋ２と第５開閉弁２５０２と第６開閉弁Ｋ６とが閉成されている。
【００８０】
すなわち、スライド板２２０３が図１９および図２０に示す位置から右方向へ移動されており、第１開閉弁Ｋ１は図２３に示す鎖線位置へ移動し、接続開口５４Ａａは開成され、第６開閉弁Ｋ６は図１９および図２０に示すように閉成し、第３開閉弁Ｋ３は図３１の鎖線で示す位置に移動して収納ケース８１の接続開口８４Ａを開成している。
【００８１】
手元操作管１３の操作部１３Ａのスイッチ１３ｂが操作されると、電動送風機２４が駆動される。この電動送風機２４の駆動により、電動送風機２４の吸込開口２４Ａから空気が吸い込まれて、図示しない接続風路部を介して集塵ユニット５０の収納ケース８１内に負圧が作用し、さらに吸引風路部５６を介して集塵ケース部７４内や塵埃分離部５２の分離室部５４に作用する。そして、その負圧が案内風路体５７を介して集塵ホース１２,延長管１４および吸込口体１５に作用し、吸込口体１５から空気とともに塵埃が吸引されていく。
【００８２】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路体５７を通って塵埃分離部５２の分離室部５４内へ導入され、この分離室部５４内では図１０において反時計回りに回転していく。この空気の流れによって、第２開閉弁Ｋ２は開成していても強制的に閉成されることになる。
【００８３】
第２開閉弁Ｋ２は、分離室部５４の内周面と同一曲率に形成され、その内周面と同一面上となるように設けられていることにより、分離室部５４内を流れる空気の風路抵抗になってしまうことが防止される。
【００８４】
そして、この回転により塵埃と空気が慣性により分離され、空気が塵埃分離手段５５のネットフィルタＮＦ１（図１２参照）や開口１５４ＢのネットフィルタＮＦ２（図２４参照）を通り、さらに吸引風路部５６を通ってフィルタ部８０の収納ケース８１内へ吸引されていく。
【００８５】
他方、分離された塵埃は、慣性力によって分離室部５４の導入開口５３Ａから集塵容器４１０の連通ケース部７２内へ一部の空気とともに導入される。この導入された塵埃および空気は連通ケース部７２の連通路７１を通って集塵室部７３へ吸引されていき、塵埃は集塵室部７３に集塵されていく。
【００８６】
集塵室部７３へ吸引された空気は、ネットフィルタＮＦ３を通って吸引風路部５６に吸引され、さらにフィルタ部８０の収納ケース８１内へ吸引されていく。
【００８７】
収納ケース８１内へ吸引された空気は、プリーツフィルタ体１００のプリーツフィルタ１０４を通って掃除機本体１１の接続風路部２５内の吸込管２７（図２１参照）へ吸引され、さらに電動送風機２４の吸込開口２４Ａへ吸引されていく。
【００８８】
電動送風機２４の吸込開口２４Ａへ吸引された空気は電動送風機２４内を通って図２に示す掃除機本体１１の排気口２０Ｈ（図２１参照）から排気されていく。
【００８９】
そして、掃除の終了後、集塵容器４１０に溜まった塵埃を捨てる場合、クランプ７００の操作部７０１を上から押圧する。この押圧により、クランプ７００は図示しないスプリングの付勢力に抗して図７に示す位置から軸部７０３を中心にして反時計回りに回動する。
【００９０】
クランプ７００が反時計回りに回動されると、図９に示すように、クランプ７００の係止爪７０７は蓋ケース５００の係合部材５１０の先端部５１１から外れ、蓋ケース５００のロックが解除される。このロックが解除されると、蓋ケース５００は捩りコイルバネ１８（図５参照）によって図１６の鎖線で示すように開成する。
【００９１】
他方、クランプ７００が図９に示すように回動すると、クランプ７００の押圧部７０５がスライド部材１２０１を右方へ移動させ、この移動により集塵容器４１０のフック７２Ｆがスライド部材１２０１の開口１２０４の縁部１２０４ａから外れ、集塵容器４１０のロックが解除される。そして、集塵容器４１０のリブ７２Ｒ,７４Ｒが図１５に示すようにガイドケース１１０１,１１１１のスプリング１１０２,１１１２の付勢力によって上方へ押し上がられる。すなわち、集塵容器４１０がスプリング１１０２,１１１２の付勢力によって図１７に示すようにポップアップされる。
【００９２】
ところで、クランプ７００の押圧部７０５とスライド部材１２０１の先端部１２０１ａとの間に隙間があることにより、クランプ７００の操作部７０１を押圧すると、蓋ケース５００が開成した後に集塵ケース４１０のポップアップが行われる。
【００９３】
このように、クランプ７００の操作部７０１を押圧するだけで、蓋ケース５００は開成して集塵容器４１０がポップアップされるので、掃除機本体１１からの集塵容器４１０の取り外しは簡単なものとなる。
【００９４】
手元操作管１３の操作部１３Ａの切スイッチ１３ａが操作されると、電動送風機２４の駆動が停止されるとともに、スピーカ２０１から除塵モードが設定されることを音声や合成音が流されて報知される。この後、図２２に示すように第４開閉弁２８が閉成され、第５開閉弁２５０２が開成される。そして、モータＭ１（図３７参照）によって格子部材６００が回転されていく。
【００９５】
この格子部材６００の回転によりプリーツフィルタ体１００が回転し、除塵機構２０００のアーム２００２の突起２１０４がプリーツフィルタ１０４の山部に当接することにより、アーム２００２および軸２００１は図３１の鎖線位置から時計回りにプリーツフィルタ体１００とともに回転していく。
【００９６】
そして、アーム２００２が図３１に示す位置へ回動すると溝８４Ｍの端部で規制され、アーム２００２および軸２００１の回動は停止され、プリーツフィルタ体１００だけが回転していく。
【００９７】
アーム２００２が図３１に示す位置へ回動すると、第３開閉弁Ｋ３が収納ケース８１の接続開口８４Ａを閉成する。また、アーム２００２の軸部２０１１が第６開閉弁Ｋ６の当接片８７を押圧して第６開閉弁Ｋ６を開成する。すなわち、図３３に示すように収納ケース８１の外気導入口８４Ｆが開成される。
【００９８】
他方、アーム２００２とともに軸２００１が回動されていくことにより、開閉機構２２００のギア２２０１が回動していき、このギア２２０１の回転によりスライド板２２０３が左方へ移動して図１９および図２０に示す位置へ移動する。このスライド板２２０３の移動により、図２３に示すように第１開閉弁Ｋ１が鎖線位置から実線位置へ移動して、案内風路体５７の接続開口５４Ａａを閉成する。
【００９９】
このようにして、図２２に示すように第１,第２開閉弁Ｋ１,Ｋ３が閉成し、第６開閉弁Ｋ６が開成する。
【０１００】
そして、電動送風機２４は所定のパワーで駆動される。この電動送風機２４が駆動されても、除塵モードが設定されることを報知されているので、使用者は故障等と誤解をしてしまうことが防止される。
【０１０１】
電動送風機２４が駆動されると、第１開閉弁Ｋ１が閉成され第６開閉弁Ｋ６が開成されていることにより、また蓋ケース５００が本体ケース２０に密閉して閉成されていないことにより、図２２に示すように収納ケース８１の外気導入口８４Ｆから外気が導入される。
【０１０２】
一方、アーム２００２の回転の停止により、アーム２００２の突起２１０４がプリーツフィルタ１０４の回転とともにプリーツフィルタ１０４の山部を乗り越えていき、この乗り越えるごとにアーム２００２の突起２１０４がプリーツフィルタ１０４の山部を叩いていき、プリーツフィルタ１０４に付着している細塵を落としていく。
【０１０３】
プリーツフィルタ１０４から落とされた細塵は、外気導入口８４Ｆから導入された外気によって戻し風路２５１１を通って塵埃分離部５２の分離室部５４に戻される。
【０１０４】
また、外気導入口８４Ｆから導入された外気はプリーツフィルタ１０４に当たるので、プリーツフィルタ１０４は空気洗浄されることになる。
【０１０５】
第２開閉弁Ｋ２は図２５に示すように戻し風路２５１１を通る外気によって開成されるので、プリーツフィルタ１０４から落とされた細塵は確実に塵埃分離部５２の分離室部５４へ戻すことができる。
【０１０６】
この分離室部５４へ導入された外気および細塵は図１０において反時計回りに回転していき、この回転により細塵と空気が慣性により分離され、この分離された細塵は慣性力によって分離室部５４の導入開口５３Ａから集塵容器４１０の連通ケース部７２を介して塵室部７３へ集塵されていく。
【０１０７】
また、細塵から分離された空気は、塵埃分離手段５５のネットフィルタＮＦ１（図１２参照）や開口１５４ＢのネットフィルタＮＦ２（図２５参照）を通り、さらに吸引風路部５６へ吸引されていく。吸引風路部５６へ吸引された外気はバイパス風路２５００を通って吸込管２７へ吸引され、さらに電動送風機２４の吸込開口２４Ａへ吸引され、掃除機本体１１の排気口２０Ｈから排気されていく。
【０１０８】
このように、プリーツフィルタ１０４から落とされた細塵は塵埃分離部５２の分離室部５４へ戻されるので、再度プリーツフィルタ１０４に付着してしまうことが防止される。
【０１０９】
そして、所定時間が経過すると、電動送風機２４の駆動が停止されるとともに格子部材６００が所定角度だけ逆回転され、図２１に示すように、第１開閉弁Ｋ１と第３開閉弁Ｋ３と第４開閉弁２８とが開成され、第２開閉弁Ｋ２と第５開閉弁２５０２と第６開閉弁Ｋ６とが閉成される。
【０１１０】
この実施例によれば、第２開閉弁Ｋ２が空気の流れで開閉するので、その構成を簡単にすることができる。
【０１１１】
ところで、スピーカ２０１で除塵モードが設定されることを報知している期間に、強弱スイッチ１３ｂが操作されると除塵モードが設定されることを解除し、格子部材６００が所定角度だけ逆回転され、図２１に示すように、第１開閉弁Ｋ１と第３開閉弁Ｋ３と第４開閉弁２８とが開成され、第２開閉弁Ｋ２と第５開閉弁２５０２と第６開閉弁Ｋ６とが閉成される。そして、その強弱スイッチ１３ｂの操作に基づいて電動送風機２４が駆動され、通常の掃除が行われる。
【０１１２】
また、上記実施例では、スピーカ２０１で除塵モードが設定されることを報知するようにしているが、これに限らず、例えば表示器などに文字で表示するようにしてもよい。また、除塵モードを報知したとき除塵モードに設定して電動送風機２４を駆動させてもよい。
【図面の簡単な説明】
【０１１３】
【図１】この発明に係る電機掃除機の外観を示した斜視図である。
【図２】蓋ケースを外した図１の掃除機本体の外観を示した斜視図である。
【図３】図２に示す掃除機本体の平面図である。
【図４】集塵容器を外した図２の掃除機本体の一部を拡大した斜視図である。
【図５】掃除機本体の円筒車軸に装着した捩りコイルバネ１８を示した説明図である。
【図６】クランプの係止爪と蓋ケースの係合部材との係合関係を示した説明図である。
【図７】集塵容器のポップアップ機構を示した説明図である。
【図８】クランプを示した平面図である。
【図９】蓋ケースのロックの解除と集塵ケースのロックの解除とを示した説明図である。
【図１０】集塵ユニットの外観を示した斜視図である。
【図１１】集塵容器の外観を示した斜視図である。
【図１２】集塵ユニットの構成を示した横断面図である。
【図１３】塵埃分離部の外観を示した斜視図である。
【図１４】掃除機本体の横断面図である。
【図１５】集塵容器がポップアップされた状態を示した説明図である。
【図１６】蓋ケースの開成を説明するための掃除機本体の側面図である。
【図１７】集塵容器がポップアップされた状態を示した説明図である。
【図１８】除塵手段と収納ケースの前壁部を示した説明図である。
【図１９】開閉機構の構成を示した斜視図である。
【図２０】開閉機構と塵埃分離部とを示した斜視図である。
【図２１】通常の掃除を行う際の風路を示した概念図である。
【図２２】空気洗浄を行う際の風路を示した概念図である。
【図２３】第１実施例の塵埃分離部の構成を示した水平断面図である。
【図２４】塵埃分離部と戻し風路管を示した説明図である。
【図２５】図２３の塵埃分離部と戻し風路管の外観を示した斜視図である。
【図２６】電気掃除機本体の構成を示した縦断面図である。
【図２７】収納ケースを示した斜視図である。
【図２８】図２７に示す収納ケースを示した斜視図である。
【図２９】図２８に示す収納ケースの背面図である。
【図３０】集塵ユニットの外観を示した斜視図である。
【図３１】収納ケースに装着されたアームと第３開閉弁を示した説明図である。
【図３２】アームと第３開閉弁を示した斜視図である。
【図３３】第６開閉弁が開成した集塵ユニットの外観を示した斜視図である。
【図３４】第６開閉弁と外気導入口とを示した説明図である。
【図３５】除塵手段の構成を示した横断面図である。
【図３６】図３５に示す除塵手段の従断面図である。
【図３７】制御系の構成を示したブロック図である。
【符号の説明】
【０１１４】
２４          電動送風機
５５          塵埃分離部（第１塵埃分離手段）
５７Ａ        塵埃吸込口
１００        プリーツフィルタ体（第２塵埃分離手段）
２０１        スピーカ（報知手段）
２１００      除塵手段
２５１１      戻し風路
【図１】
2008036254.tif 000003
【図２】
2008036254.tif 000004
【図３】
2008036254.tif 000005
【図４】
2008036254.tif 000006
【図５】
2008036254.tif 000007
【図６】
2008036254.tif 000008
【図７】
2008036254.tif 000009
【図８】
2008036254.tif 000010
【図９】
2008036254.tif 000011
【図１０】
2008036254.tif 000012
【図１１】
2008036254.tif 000013
【図１２】
2008036254.tif 000014
【図１３】
2008036254.tif 000015
【図１４】
2008036254.tif 000016
【図１５】
2008036254.tif 000017
【図１６】
2008036254.tif 000018
【図１７】
2008036254.tif 000019
【図１８】
2008036254.tif 000020
【図１９】
2008036254.tif 000021
【図２０】
2008036254.tif 000022
【図２１】
2008036254.tif 000023
【図２２】
2008036254.tif 000024
【図２３】
2008036254.tif 000025
【図２４】
2008036254.tif 000026
【図２５】
2008036254.tif 000027
【図２６】
2008036254.tif 000028
【図２７】
2008036254.tif 000029
【図２８】
2008036254.tif 000030
【図２９】
2008036254.tif 000031
【図３０】
2008036254.tif 000032
【図３１】
2008036254.tif 000033
【図３２】
2008036254.tif 000034
【図３３】
2008036254.tif 000035
【図３４】
2008036254.tif 000036
【図３５】
2008036254.tif 000037
【図３６】
2008036254.tif 000038
【図３７】
2008036254.tif 000039